(57)【要約】【課題】棚板パネルを支える側板パネルの外表面金属管状パイプを嵌め込み、これに金属棒差込して棚板パネルを固定する強度の高い意匠性を持ち簡易に組立て可能な木製棚を提供することを目的としたものである。【解決手段】長さが異なる複数種の金属棒と、それら複数種の帯板状棚板パネルの長さに等しい横幅寸法を有し、縦寸法を複数種の異なる大きさに形成された棚板パネルとを備え、側板パネルに同位置に複数の金属棒の両側端を板部に通して、各棚板パネルの横幅方向の複数箇所に凹型の溝を設けて取付係合部が形成されており、それらの並置方向において隣接する金属棒パイプに棚板パネルの両側の凹溝部を係合させることにより、側板パネルの鉛直面内に複数種の棚板パネルを組立可能に構成している。【選択図】        図5
2008055032.tif 000002
【特許請求の範囲】
【請求項１】
複数種の木製側板パネルと、複数種の木製棚板パネルと、複数種の金属棒からなって、自由に木製棚板を組み立てできることを特徴とする簡易組立棚
【請求項２】
複数種の側板と複数種の金属棒を複数種の棚板パネルを取り付けた組立式木製棚において、長さが異なる複数種の金属棒と、側板パネルの同位置に上記複数の金属棒を両側板部に通して、上記各棚板パネルの横幅方向に複数の凹型の溝を設けて係合保持可能な取付係合部が形成されており、上記側板パネルの横幅寸法に、等しい間隔を隔てて同一平面内に貫通させた複数の金属管状パイプ部分を並置自立させるとともに、それらの並置方向において隣接する金属棒に棚板パネルの両側の凹溝部を係合させることにより、側板パネルの鉛直面内に数種の棚板パネルを組立可能に構成していることを特徴とする請求項１の簡易組立棚。
【請求項３】
請求項１において、側板に棚板を水平に取付けた組立て式木製棚の棚板パネルを支持する為に金属管状パイプの固定具を側板に取着し、金属棒を側板パネルに挿通して、金属棒上に設置するために、各棚板パネルの底面に凹型溝を施していることを特徴とする簡易組立棚。
【請求項４】
請求項１において、側板パネルと棚板パネルを金属棒で水平に取付けた組立て式木製棚の棚板パネルは、複数の金属棒を側板パネルに特定な位置に設置できるようにして、複数種の棚板パネルにおける底面の凹型溝部に固定できるようにしていることを特徴とする簡易組立棚。
【請求項５】
請求項１において、側板パネルと棚板パネルを金属棒で水平に取付けた組立て式木製棚の側板パネルは、等間隔で平行して複数箇所に金属棒を挿入できる金属管状パイプを嵌め込み、金属棒を差し込むことができることを特徴とする簡易組立棚。
【発明の詳細な説明】
【技術分野】
【０００１】
本発明は棚板パネルを支える側板パネルの外表面金属管状パイプを嵌め込み、これに金属棒差込して棚板パネルを固定する強度の高い意匠製を持ち簡易に組立て可能な木製棚に関するものである。
【背景技術】
【０００２】
従来より一般的な組立棚は左右両側板および中仕切板を有し、複数段の棚板を等間隔に配し、この棚板を側板外側よりボルトやビス等の金具をドライバー等の工具を使い組立固定し使用されていた。図７は従来より使用されている具体例であり、両側板（ニ）、（ニ）に棚板（ホ）が水平に取付けられている。棚板（ホ）は側板（ニ）の外側面より挿入され内側面へ突出した止め具（ヘ）により支持されている。図８は上記止め金具の使用例であり、両側板（ニ）から棚板（ホ）の木口に螺合している。このことは棚の位置が固定され、用途に応じ棚を移動しての使用が不可能である。図8-ｂは棚板を移動可能な方法で両側板（ニ）の内側面より止め金具（ト）を嵌め込み、棚板（ホ）は止め金具（ト）に載って支持されている。組立られた組立式棚は側板より垂直面に突出させた止め金具に棚板を係合させる方法が主流であるが、この方法は重い物品を載置する事に耐えうる事ができない。
【０００３】
ところで、組立式棚は大きなもので幅９０cmまでのサイズが大半であり、そのサイズを超える場合、図9で示す通り、側板（ニ）、（ニ）との間に中仕切り板（チ）により棚板を支える構造としているが、中仕切り板（チ）を取り付けることで、棚板に載置する物品が制約される事となる。
【特許文献１】特開平０９−０３７８５８
【特許文献２】特開２００４−０７３７２６
【発明の開示】
【発明が解決しようとする課題】
【０００４】
このように、従来の組立て式木製棚には上記のごとき問題がある。本発明が解決しようとする課題はこの問題点であり、中仕切り板を取付けることなく、大荷重に耐えうることが出来る組み立て式木製棚を提供する。
上記した近年提案の組立棚は、それの占有スペースを少なくして、小さいスペースでの使用に好適であるけれども、実使用に際しては専用の取付金具のために棚全体としてのバリエーションには自ずと限界があった。
【０００５】
本発明は上記実情に鑑みてなされたもので、小さいスペースでの使用に好適であるとともに、ドライバー等の工具を使用しない簡単な操作で任意の場所に容易に組立てて用いることができ、しかも、全体のバリエーションに多様性を持たせることができる簡易組立棚を提供することを目的としている。
【課題を解決するための手段】
【０００６】
複数種の木製側板パネルと、複数種の木製棚板パネルと、複数種の金属棒からなり、自由に木製棚組み立てができる簡易組立棚である。
この発明は、複数種の側板パネルと複数種の金属棒を複数種の棚板パネルを取り付けた組立式木製棚において、長さが異なる複数種の金属棒と、それら複数種の帯板状棚板パネルはそれぞれ側板横幅寸法に等しい横幅寸法を有し、かつ、縦寸法を複数の異なる大きさに形成された棚板パネルとを備え、側板パネルに同位置に上記複数種の金属棒ポールの両側板部に通して、上記各棚板パネルの横幅方向の複数箇所に凹型の溝を設けて係合保持可能な取付係合部が形成されており、上記側板パネルの横幅寸法に、等しい間隔を隔てて同一平面内に複数箇所の金属管状ホール部分を並置自立させるとともに、それらの並置方向において隣接する金属棒に棚板パネルの両側の凹溝部を係合させることにより、側板パネルの鉛直面内に数種の棚板パネルを組立可能に構成している。
【０００７】
側板に棚板を水平に取付けた組立て式木製棚の棚板パネルを支持する為に金属管状パイプの固定具を側板に取着し、金属棒を側板パネルに取着した金属管状パイプに挿入して、金属棒上に設置するために、各棚板パネルの底面に凹型溝部を施している。
この発明は、側板パネルと棚板パネルを金属棒で水平に取付けた組立て式木製棚の棚板パネルは、複数種の金属棒を側板パネルに特定な位置に設置できるようにして、複数種の棚板パネルにおける底面の凹溝に固定できるようにしている簡易組立棚であり、また側板パネルと棚板パネルを金属棒で水平に取付けた組立て式木製棚の側板パネルは、平行して複数箇所に金属棒を挿入できる金属管状パイプを嵌め込み、金属棒を差し込むことができるようにしている。以下、本発明に係る実施例を図面に基づいて詳細に説明する。
【発明の効果】
【０００８】
本発明に係る組立式木製棚には、側板パネルの鉛直面に金属管状パイプを嵌め込みしたことで側板パネルに金属棒を挿通させ自立した時の強度が出来た。又、棚板パネルを支持する棒を金属にしたことで棚板パネルに大きな荷重の物品を載置しても、その重さに十分耐えることが出来、棚板パネルの撓みも抑制された。
【実施例１】
【０００９】
図1は本発明に係る組立式木製棚を説明する斜視図である。
側板パネルは縦寸法７５０ｍｍ、横幅寸法２９０ｍｍのAを１枚と縦寸法３５０mm、横幅寸法５００ｍｍのA'を１枚、縦寸法７５０ｍｍ、横幅寸法５００ｍｍのA''を１枚３種類合計３枚が準備されている。（図面上では側板パネルは３種類であるが、１種類以上の組合せも可能である）この図示すように所定の間隔をおいて垂直に起立する側板パネル A 、A' ,Aには複数種の金属棒E が側板パネルAの鉛直面に等間隔で水平に挿通され、強度の高い組立式棚を自立させる。
【００１０】
図 2 は側板パネル A の貫通孔（イ）の斜視図であり側板パネルA の鉛直面には等間隔（水平方向で２１０ｍｍ、垂直方向で２００ｍｍ）の水平な貫通孔（イ）が複数あり、その貫通孔（イ）には金属棒Eを安定させる為の金属管状パイプGを嵌め込んでいる。本発明の木製組立式棚は木製側板パネルの厚みを４５ｍｍとしかつ棚板パネルFを支持する側板パネル A、A 間に挿通した金属棒Eの直径１２ｍｍとし、側板パネルAに嵌め込んでいる金属管状パイプGの内径は金属棒Eの直径よりプラス２／１００mmとしている。従って、金属棒Eは金属管状パイプGに水平に挿通でき、側板パネルAの強度は大きくなり棚板パネルFの撓み変形に伴う曲げ変形を抑制する効果がある。
【００１１】
図3は棚板パネルFを各方向から描いた図であり、各棚板パネルFの横方向の同一水平面内の複数箇所には並置方向において隣接する金属棒E、E間に合わせた２１０ｍｍの等間隔である複数の凹型の溝部（ロ）を設けて係合保持可能な取り付け係合部が形成されており、側板パネルAの並置方向において隣接する金属棒Eに棚板パネルFの水平面凹型溝部(ロ)を係合させることにより棚板パネルFを支持する。
上記の側板パネル及び棚板パネルの構造は木製に限らず、他の材質の物を使用しても同じ様な効果を持つ。
【実施例２】
【００１２】
図 4 及び  図 5 は本発明に係る他の組立式木製棚を実施説明する斜視図である。
図 4 は側板パネルAは縦寸法１９５０ｍｍと、縦寸法１３５０ｍｍを有し、かつ横幅寸法は両方共５００ｍｍに形成された２種類のものが準備されている。この図示すように所定の間隔をおいて垂直に起立する複数種側板パネルAは複数種の金属棒E が側板パネルAの鉛直面に等間隔で水平に挿通され、組立式棚を自立させる。棚板パネルFには図3で説明した係合保持可能な取り付け係合部が形成されており、側板パネルAの並置方向において隣接する金属棒Eに棚板パネルFの水平面凹型溝部(ロ)を係合させることにより棚板パネルFを支持する。
【００１３】
図6の引出し付小箱Jにおいて側板パネルAの鉛直面に等間隔で水平に挿通された複数種の金属棒Eと係合可能な凹型溝部(ロ）を形成された棚板パネルFと同じ係合可能な凹型溝部を水平面底面部に形成させることにより、棚板パネルFと同じく引出し付小箱Jを側板パネルAの鉛直面に等間隔で水平に挿通された金属棒Eと係合させ使用することができる。
図5は本発明に係る他の組立式木製棚を実施説明する斜視図であり、側板パネルAの縦寸法１９５０ｍｍと横寸法２９０ｍｍとが同じものを３枚使用した例である。この図示すように所定の間隔をおいて垂直に起立する複数側板パネルAには複数種の金属棒Eが側板パネルAの鉛直面に等間隔で水平に挿通され、組立式棚を自立させる。金属棒Eを側板パネルAに水平に挿通し側板パネルAの外側に金属棒Eを突出させることにより、側板パネルAの外側部にも棚板パネルF及び引出し付小箱Jも係合可能となる。
【００１４】
また、それらを係合する為の金属棒Eを挿通する金属管状パイプGは、側板パネルAの鉛直面上の上下に複数段に設けてある為、側板パネルA間の空間における各棚板パネルFや引出し小箱Jは金属棒Eを挿通する位置を変えることによりレイアウト変更をそれだけ容易に、自由に行える。即ち意匠性が高い組立式木製棚が出来る。
これら実施例及び他の実施例に記載した寸法は代表的寸法であり、これに限られるものではなく、使用用途、目的に応じてこれら以外の寸法を採用してもよい。
また、後に、用途目的に応じて設置場所（レイアウト）を変更しようとする場合でも、そのまま移動したり、或いは簡単に分解し、保管、移動、再組立して該変更を簡単容易に行えるので使い勝手よく使用できる。
【図面の簡単な説明】
【００１５】
【図１】本発明に係る組合せ木製棚の部品図
【図２】側板と金属管状パイプと金属棒の部品図
【図３】棚板の斜視図。
【図４】本発明に係る組合せ木製棚の例１。
【図５】本発明に係る組合せ木製棚の例２。
【図６】引出し付小箱の斜視図。
【図７】従来の組合せ式木製棚。
【図８】従来の棚板の支持構造。
【図９】中仕切り板を備えた従来の木製棚。
【符号の説明】
【００１６】
A．側板パネル
E．金属棒
F．棚板パネル
G．金属管状パイプ
J．引出し付小箱
(イ)  貫通孔
(ロ)  凹型溝
(ニ)  従来の側板
(ホ)  従来の棚板
(へ)  従来の止め金具
(ト)  従来の止め金具
(チ)  中仕切板
【図１】
2008055032.tif 000003
【図２】
2008055032.tif 000004
【図３】
2008055032.tif 000005
【図４】
2008055032.tif 000006
【図５】
2008055032.tif 000007
【図６】
2008055032.tif 000008
【図７】
2008055032.tif 000009
【図８】
2008055032.tif 000010
【図９】
2008055032.tif 000011